(57)【要約】      （修正有）【課題】  チッピングや型枠作業を必要とするコンクリートを使用せず、鋼製骨組み部材と石、レキ、土砂等の現地発生材とで形成できる運搬性、施行性、環境性に優れた腹付け・嵩上げ工法を提供する。【解決手段】  コンクリート製土留め用壁体１の側面１ａ、および上面１ｂに、それぞれアンカーボルト２を打設する。次いで、上記コンクリート壁側面１ａに鋼製腹付け用箱型枠３を並列設置し、アンカーボルト２に固定した後、その内部に中詰材７を充填する。上記の作業を繰り返し、コンクリート壁側面１ａ全体の腹付けを行なう。次いで、上記腹付け部分の上面、およびその後方に位置するコンクリート壁上面１ｂに、嵩上げ用鋼製箱型枠４を並列設置し、アンカーボルトに固定した後、その内部に中詰材７を充填する。これによりコンクリート壁上面１ｂの嵩上げを行なう。【選択図】  図１
2008095332.tif 000002
【特許請求の範囲】
【請求項１】
既存のコンクリート土留め用壁体の腹付けしようとするコンクリート壁側面、および嵩上げしようとするコンクリート壁上面に対して、アンカーボルトを所定間隔で打設する工程と、
プレハブ式鋼製骨組み部材を組み合わせて必要個数の腹付け用箱型枠を形成し、これらの各箱型枠を前記腹付けしようとするコンクリート壁側面に沿って、先ずその最下段に並列設置し、以後、これらの各箱型枠の上方に、前記同様に形成した必要個数の腹付け用箱型枠を、順次段階的に並列設置して最上段まで積み重ねるとともに、この各段ごとに、並列設置した各腹付け用箱型枠を前記アンカーボルトに固定して既存の前記コンクリート壁側面と一体化し、かつ各腹付け用箱型枠に中詰材の流出防止用スクリーン材を取付けて、中詰材を充填する作業を繰り返し行なう腹付け工程と、
上記腹付け工程において、その最上段に並列設置された各腹付け用箱型枠の上面、およびその後方に位置する当該土留め用壁体のコンクリート壁上面に、それぞれプレハブ式鋼製骨組み部材を組み合わせて形成される必要個数の嵩上げ用箱型枠を並列配置し、その互いに前後に位置する嵩上げ用箱型枠どうしを連結するとともに、コンクリート壁上面に並列配置した各嵩上げ用箱型枠を前記アンカーボルトに固定してコンクリート壁上面と一体化し、かつ、これらの各嵩上げ用箱型枠に中詰材の流出防止用スクリーン材を取り付けて、中詰材を充填する嵩上げ工程と、
よりなる既存コンクリート土留め用壁体の腹付け・嵩上げ工法。
【請求項２】
既存のコンクリート土留め用壁体の腹付けしようとするコンクリート壁側面に対して、アンカーボルトを所定間隔で打設する工程と、
プレハブ式鋼製骨組み部材を組み合わせて必要個数の腹付け用箱型枠を形成し、これらの各箱型枠を前記腹付けしようとするコンクリート壁側面に沿って、先ずその最下段に並列設置し、以後、これらの各箱型枠の上方に、前記同様に形成した必要個数の腹付け用箱型枠を、順次段階的に並列設置して最上段まで積み重ねるとともに、この各段ごとに、並列設置した各腹付け用箱型枠を前記アンカーボルトに固定して既存の前記コンクリート壁側面と一体化し、かつ各腹付け用箱型枠に中詰材の流出防止用スクリーン材を取付けて、中詰材を充填する作業を繰り返し行なう腹付け工程と、
よりなる既存コンクリート土留め用壁体の腹付け・嵩上げ工法。
【請求項３】
腹付け工程において、既存のコンクリート土留め用壁体の腹付けしようとするコンクリート壁側面の最下段部に対する腹付け作業を省略する請求項１又は２に記載の既存コンクリート土留め用壁体の腹付け・嵩上げ工法。
【請求項４】
既存のコンクリート土留め用壁体の腹付けしようとするコンクリート壁側面が、当該土留め用壁体の下流側または上流側のいずれか一方のコンクリート壁側面である請求項１又は２、３に記載の既存コンクリート土留め用壁体の腹付け・嵩上げ工法。
【請求項５】
既存のコンクリート土留め用壁体の腹付けしようとするコンクリート壁側面が、当該土留め用壁体の下流側および上流側の両方のコンクリート壁側面である請求項１又は２、３に記載の既存コンクリート土留め用壁体の腹付け・嵩上げ工法。
【請求項６】
プレハブ式鋼製骨組み部材を組み合わせて形成される腹付け用の箱型枠および嵩上げ用の箱型枠は、いずれもラーメン構造またはトラス構造の骨格をなす請求項１又は２、３、４、５に記載の既存コンクリート土留め用壁体の腹付け・嵩上げ工法。
【請求項７】
腹付け用の箱型枠および嵩上げ用の箱型枠に取り付ける中詰材の流出防止用スクリーン材は、鋼材または木材で形成し、中詰材には、石、レキ、土砂等の現地発生材を使用する請求項１又は２、３、４、５、６に記載の既存コンクリート土留め用壁体の腹付け・嵩上げ工法。
【発明の詳細な説明】
【技術分野】
【０００１】
本発明は、古くなったコンクリート製の堰堤や擁壁、堤防等の各種土留め用壁体（以下、コンクリート土留め用壁体と称する）に対して、腹付け・嵩上げする新規な工法に関する。
【背景技術】
【０００２】
既存のこの種のコンクリート土留め用壁体の中には、老朽化し、使用限界を超えたものがある。このような老朽化したコンクリート土留め用壁体に対して、近年では、新たな付け替え工事を行なわず、補強工事により延命処置を施す場合が増えつつある。
【０００３】
従来より行なわれている補強工事としては、新コンクリートの増し打ち工事が一般的である。これは、図１０（ａ）〜（ｅ）に示す工程を経て、既存のコンクリート土留め用壁体に新コンクリートを腹付けし、嵩上げするものである。
【０００４】
すなわち、先ず、図１０（ａ）に示すように、既存のコンクリート土留め用壁体１の表面をチッパー等でチッピング（はつり）し、新コンクリートが付着しやすい凹凸面８に形成する。次いで、同図（ｂ）に示すように、チッピングしたコンクリート土留め用壁体１の表面に多数のアンカー９を打設し、続いて同図（ｃ）に示すように、型枠１０を設置する。そうして、同図（ｄ）に示すように、型枠１０内に新コンクリート１１を打設し、養生した後、同図（ｅ）に示すように、型枠１０を撤去する。これにより、既設のコンクリート土留め用壁体１の縦断面を一定量ｗ腹付けするとともに、高さを一定量ｔ’嵩上げするのである。
【発明の開示】
【発明が解決しようとする課題】
【０００５】
しかしながら、このような従来の補強工事では、チッピングや型枠の着脱等の特殊な作業を必要とするため、これらの専門の作業員を確保しなければならない。また、新たな腹付け、嵩上げ部分が気温や気象条件に左右されやすいコンクリートで形成されるため、打設する新コンクリートの入念な品質管理が必要となる。さらに、山岳地帯など急峻な場所での施工が多く、大型重機や型枠等の重量部材の搬入等に困難をきたす。等の種々の問題がある。
【０００６】
本発明は、このような問題を解決するためになされたものであり、専門的な特殊作業や特別な品質管理を全く必要とせず、かつ、常に一定の高品質が得られ、しかも山岳地帯などの急峻な設置場所への部材の運搬性及び施工性に優れた既存のコンクリート土留め用壁体の腹付け・嵩上げ工法を提供しようとするものである。
【課題を解決するための手段】
【０００７】
上記目的を達成する本発明の工法は、既存のコンクリート土留め用壁体の腹付けしようとするコンクリート壁側面、および嵩上げしようとするコンクリート壁上面に対して、アンカーボルトを所定間隔で打設する工程と、プレハブ式鋼製骨組み部材を組み合わせて必要個数の腹付け用箱型枠を形成し、これらの各箱型枠を前記腹付けしようとするコンクリート壁側面に沿って、先ずその最下段に並列設置し、以後、これらの各箱型枠の上方に、前記同様に形成した必要個数の腹付け用箱型枠を、順次段階的に並列設置して最上段まで積み重ねるとともに、この各段ごとに、並列設置した各腹付け用箱型枠を前記アンカーボルトに固定して既存の前記コンクリート壁側面と一体化し、かつ各腹付け用箱型枠に中詰材の流出防止用スクリーン材を取付けて、中詰材を充填する作業を繰り返し行なう腹付け工程と、上記腹付け工程において、その最上段に並列設置された各腹付け用箱型枠の上面、およびその後方に位置する当該土留め用壁体のコンクリート壁上面に、それぞれプレハブ式鋼製骨組み部材を組み合わせて形成される必要個数の嵩上げ用箱型枠を並列配置し、その互いに前後に位置する嵩上げ用箱型枠どうしを連結するとともに、コンクリート壁上面に並列配置した各嵩上げ用箱型枠をアンカーボルトに固定してコンクリート壁上面と一体化し、かつ、これらの各嵩上げ用箱型枠に中詰材の流出防止用スクリーン材を取り付けて、中詰材を充填する嵩上げ工程とよりなる既存コンクリート土留め壁体の腹付け・嵩上げ工法を要旨とするものである。
【０００８】
本発明工法において、プレハブ式鋼製骨組み部材を組み合わせて形成される腹付け用および嵩上げ用の箱型枠は、いずれもラーメン構造またはトラス構造の骨格をなしているのがよい。
【０００９】
また、腹付け用の箱型枠および嵩上げ用の箱型枠に取り付ける中詰材の流出防止用スクリーン材は、条件に応じて形鋼やグレーチング、溶接金網、エキスパンドメタル等の鋼材あるいは間伐材等の木材で形成することができ、これらの箱型枠内に充填する中詰材には、石、レキ、土砂等の現地発生材を使用できる。
【００１０】
さらに、本発明工法において、既存の土留め用コンクリート壁の腹付けしようとする壁側面とは、当該コンクリート壁の下流側または上流側のいずれか一方のコンクリート壁側面を指す場合と、下流側および上流側に位置する両方のコンクリート壁側面を指す場合とがある。また、本発明工法においては、腹付け工程と嵩上げ工程の両方を常に実施する必要はなく、嵩上げ工程を省略して腹付け工程のみを実施しても良い。なお、腹付けしようとするコンクリート壁側面の最下段部への腹付けは、該最下段部が埋設される場合等、状況に応じて省略することができる。
【発明の効果】
【００１１】
上記構成よりなる本発明の工法によれば、堰堤等の既存の土留め用コンクリート壁面に対する腹付けや嵩上げは、鋼製の骨組み部材と現地発生材である石、レキ、土砂等の中詰材とで形成されるから、従来のコンクリートで形成する工法のように、チッピングやコンクリート型枠の着脱といった特殊な専門作業を行なう必要がなく、その品質が気温や気候条件に影響されることもない。
【００１２】
また、腹付け用箱型枠および嵩上げ用箱型枠を形成する鋼製骨組み部材は、全てプレハブ化された組立て用パーツ部材で構成されているから、軽量で人力による山間部や急傾斜地への運搬、施工が可能であり、運搬用、施工用の大型重機類を必要としない。
【００１３】
さらに、鋼製骨組み部材で形成される腹付け用箱型枠や嵩上げ用箱型枠は、いずれも既存の腹付け・嵩上げしようとするコンクリート壁面と一体構造となるため、水圧や土圧等の外力に対する抵抗力は、中詰材の自重のみに期待したものとなっている。したがって、構造の安定性が中詰材の品質等によって左右されることはなく、中詰材には石、レキ、土砂等の現地発生材をそのまま使用することができ、残土処理の低減を図ることができる。
【発明を実施するための最良の形態】
【００１４】
以下、本発明工法の実施形態を図面に基づいて説明する。
【実施例１】
【００１５】
図１は、本発明工法の実施工程図であり、同図（ａ）はアンカーボルトの打設工程を、同図（ｂ）〜（ｅ）は腹付け工程を、同図（ｆ）は嵩上げ工程を示している。また、符号１は、既存のコンクリート土留め用壁体であるコンクリート堰堤、１ａは１の腹付けしようとするコンクリート壁側面、１ｂは１の嵩上げしようとするコンクリート壁上面、２はアンカーボルト、３は腹付け用箱型枠、４は嵩上げ用箱型枠を示している。
【００１６】
すなわち、本発明工法においては、最初に、図１（ａ）に示すように、腹付け・嵩上げを実施するコンクリート堰堤１に対して、その腹付けしようとするコンクリート壁側面１ａ（図示例は、１の下流側のコンクリート壁側面１ａのみに腹付けする場合を示している。）、および嵩上げしようとするコンクリート壁上面１ｂに、アンカーボルト２を打設する。これらのアンカーボルト２は、後述する腹付け用箱型枠３および嵩上げ用箱型枠４を固定するためのものであり、上記コンクリート壁側面１ａにおける各腹付け用箱型枠３の設置位置、およびコンクリート壁上面１ｂにおける各嵩上げ用箱型枠４の設置位置に、予め必要個数を所定間隔で埋め込んでおく。
【００１７】
次ぎに、必要個数の腹付け用箱型枠３を組み立てる。これらの腹付け用箱型枠３は、図１（ｂ）に示すように、コンクリート堰堤１の腹付けしようとする下流側のコンクリート壁側面１ａに沿って、先ず、その最下段に並列設置するものである。各腹付け用箱型枠３は、図２に示すように、プレハブ化された矩形状の鋼製骨組み部材３’と柱状の鋼製骨組み部材３”とからなり、これらを現地で組み合わせて剛接合することにより、耐変形性の強いラーメン構造をなす箱型枠に形成される。形成された各腹付け用箱型枠３は、コンクリート壁側面１ａの最下段に並列設置し、これらの後面部を前記したアンカーボルト２に固定して、コンクリート壁側面１ａと一体化させる。
【００１８】
次いで、上記の如くコンクリート壁側面１ａと一体化させた各腹付け用箱型枠３の正面Ｆ、および左右両端に位置する腹付け用箱型枠の端部側面Ｓに、図３に示すように、それぞれスクリーン材５をボルト６で取り付ける。これらのスクリーン材５は、各腹付け用箱型枠３内に充填する中詰材７の流出を防止するものであり、図示例では、複数本のＬ型鋼を等間隔に配置して格子状に取り付けている。なお、スクリーン材５としては、他にＨ型鋼、グレーチング、溶接金網、エキスパンドメタル等の鋼材、あるいは間伐材等の木材を加工して使用することができる。スクリーン材５の取付けが完了すると、図１（ｃ）に示すように、各腹付け用箱型枠３の内部に、現地発生材である石、レキ、土砂等の中詰材７を充填する。
【００１９】
このようにして、コンクリート壁側面１ａの最下段への腹付け作業が完了すると、図１（ｄ）に示すように、同様の作業を繰り返して、その上段、また、そのひとつ上段の腹付け作業を行なう。そうして、図１（ｅ）に示すように、最下段より順次段階的に積み重ねられた腹付け部分の高さｔが、コンクリート壁側面１ａの高さとほぼ整合すると、最上段の腹付け作業が完了する。
【００２０】
コンクリート堰堤１のコンクリート壁側面１ａへの腹付け作業が完了すると、次ぎに、当該コンクリート堰堤１の嵩上げ作業を実施する。この嵩上げ作業は、図１（ｆ）に示すように、前記の腹付け作業において、その最上段に並列設置された各腹付け用箱型枠３の上面、およびその後方に位置する当該コンクリート堰堤１のコンクリート壁上面１ｂに、それぞれ必要個数の嵩上げ用箱型枠４を並列設置することにより行なわれる。
【００２１】
すなわち、嵩上げ用箱型枠４は、図４に示すように、前記腹付け用箱型枠と同様のプレハブ式の矩形状の鋼製骨組み部材４’と、柱状の鋼製骨組み部材４”とからなり、これらを現地で組み合わせて剛接合することにより、耐変形性の強いラーメン構造をなす所要高さの嵩上げ用箱型枠に形成するものである。形成された各嵩上げ用箱型枠４は、前記最上段の腹付け用箱型枠３の上面、およびその後方に位置するコンクリート壁上面１ｂに並列設置し、その互いの前後に位置するものどうしをボルト等で連結するとともに、コンクリート壁上面１ｂに並列設置した嵩上げ用箱型枠４をアンカーボルト２に固定して、コンクリート壁上面１ｂと一体化させる。
【００２２】
そうして、コンクリート壁上面１ｂと一体化した各嵩上げ用箱型枠４の正面側Ｆ、背面側Ｂ、左右両端に位置する嵩上げ用箱型枠の端部側面Ｓに、図５に示すように、それぞれ前記同様のスクリーン材５を取り付けた後、各嵩上げ用箱型枠４の内部に、現地発生材である石、レキ、土砂等の中詰材７を充填する。最後に、中詰材７を充填した各嵩上げ用箱型枠４の上面Ｕにスクリーン材５を取り付ける。これにより、嵩上げ作業が完了する。
【実施例２】
【００２３】
図６は、本発明工法の他の実施例であり、腹付け用箱型枠３および嵩上げ用箱型枠４を形成するプレハブ式の鋼製骨組み部材が、三角形を単位として構成されるトラス構造をなしている例である。
【実施例３】
【００２４】
図７は、本発明工法の他の実施例であり、堰堤等の既存のコンクリート製土留め用壁体１に対して、その腹付けしようとするコンクリート壁側面が、当該土留め用壁体１の下流側に位置するコンクリート壁側面１ａと、上流側に位置するコンクリート壁側面１ｃの両方である場合を示している。
【実施例４】
【００２５】
また、図８は、堰堤等の既存のコンクリート製土留め用壁体１に対して、本発明工法により腹付け工程のみを実施する場合であって、同図（ａ）は、腹付けしようとするコンクリート壁側面が、当該土留め用壁体１の下流側に位置するコンクリート壁側面１ａのみである場合の例を、同図（ｂ）は、腹付けしようとするコンクリート壁側面が、当該土留め用壁体１の下流側に位置するコンクリート壁側面１ａと、上流側に位置するコンクリート壁側面１ｃの両方である場合を示している。
【実施例５】
【００２６】
また、図９は、堰堤等の既存のコンクリート製土留め用壁体１の下端部が地中に埋設される等の事情を有する場合に、当該土留め用壁体１の腹付けしようとするコンクリート壁側面の最下段部に対して、アンカーボルトの打設および腹付け用箱型枠の並列設置等を行なわず、腹付け作業を省略した例であり、実施例４と同様に、同図（ａ）は、腹付けしようとするコンクリート壁側面が、当該土留め用壁体の下流側のコンクリート壁側面である場合を示し、同図（ｂ）は、腹付けしようとするコンクリート壁側面が、当該土留め用壁体の下流側および上流側の両方である場合を示している。
【図面の簡単な説明】
【００２７】
【図１】本発明工法の実施工程を段階的に説明する断面図である。
【図２】本発明に係る腹付け用箱型枠の組立て構造を説明する斜視図である。
【図３】腹付け用箱型枠に取り付けるスクリーン材を説明する図で、（ａ）は正面図、（ｂ）は側面図である。
【図４】本発明に係る嵩上げ用箱型枠の組立て構造を説明する斜視図である。
【図５】嵩上げ用箱型枠に取り付けるスクリーン材を説明する図で、（ａ）は正面図、（ｂ）は側面図である。
【図６】本発明工法の他の実施例を説明する図で、（ａ）は正面図、（ｂ）は側面図である。
【図７】本発明工法の他の実施例を説明する断面図で、腹付けしようとするコンクリ      ート壁側面が下流側と上流側の両方の場合である。
【図８】本発明工法の他の実施例を示す断面図で、（ａ）は腹付けしようとコンクリート壁側面が下流側のみの場合、（ｂ）は腹付けしようとするコンクリート壁側面が下流側と上流側の両方の場合である。
【図９】本発明工法の他の実施例を示す断面図であり、（ａ）は腹付けしようとコンクリート壁側面が下流側のみの場合、（ｂ）は腹付けしようとするコンクリート壁側面が下流側と上流側の両方の場合である。
【図１０】従来の腹付け・嵩上げ工法を段階的に説明する断面図である。
【符号の説明】
【００２８】
１  コンクリート土留め用壁体（コンクリート堰堤）
１ａ  １の下流側コンクリート壁側面
１ｂ  １のコンクリート壁上面
１ｃ  １の上流側コンクリート壁側面
２  アンカーボルト
３  腹付け用箱型枠
３’  矩形状鋼製組立て部材
３”  柱状鋼製組立て部材
４  嵩上げ用箱型枠
４’  矩形状鋼製組立て部材
４”  柱状鋼製組立て部材
５  スクリーン材
６  ボルト
７  中詰材
【図１】
2008095332.tif 000003
【図２】
2008095332.tif 000004
【図３】
2008095332.tif 000005
【図４】
2008095332.tif 000006
【図５】
2008095332.tif 000007
【図６】
2008095332.tif 000008
【図７】
2008095332.tif 000009
【図８】
2008095332.tif 000010
【図９】
2008095332.tif 000011
【図１０】
2008095332.tif 000012